(57)【特許請求の範囲】
【請求項１】
サイドレールが設けられたベース部と、
該ベース部に、前記サイドレールに係合可能なサイドブラケットが設けられたコンピュータユニットを有する基板ブロックとを備え、
前記ベース部に中空部及び通気孔を有するベースパイプが用いられ、
該ベースパイプの上部に、上方に延びる前記サイドレールが設けられ、
前記サイドレールに係止可能な前記サイドブラケットが基板ブロックに設けられ、
前記サイドレールは、可撓性又は伸張性を有するベースレールに設けられて前記サイドブラケットが係脱されることを特徴とする屋外コンピュータ装置。
【請求項２】
前記サイドレールの内幅は、前記サイドブラケットの外幅と同じ長さであることを特徴とする請求項１に記載の屋外コンピュータ装置。
【請求項３】
前記基板ブロックに着脱可能な外付ユニットが設けられたことを特徴とする請求項１又は２に記載の屋外コンピュータ装置。
【請求項４】
前記基板ブロックの外側に基板カバーが設けられ又は／及び前記基板ブロックに接続された前記外付ユニットの外側に外付ユニットカバーが設けられ、
前記サイドレールの上端に前記基板カバー又は／及び前記外付ユニットカバーを嵌合可能な固定部が設けられたことを特徴とする請求項１乃至３の何れかに記載の屋外コンピュータ装置。
【請求項５】
前記基板カバー又は前記外付ユニットカバーの下部に、分割された下部カバーが設けられたことを特徴とする請求項１乃至４の何れかに記載の屋外コンピュータ装置。
【請求項６】
前記基板ブロックにアンテナブラケットを介して延びるアンテナが設けられ、
前記アンテナブラケットの一端にアンテナケーブルを通す穴が設けられたことを特徴とする請求項１乃至５の何れかに記載の屋外コンピュータ装置。
【請求項７】
ケーブルを前記ベースパイプの前記中空部を通すことを特徴とする請求項１乃至６の何れかに記載の屋外コンピュータ装置。
【請求項８】
端末からのデータの書き込み及び／又は消去が可能な内部メモリが設けられたことを特徴とする請求項１乃至７の何れかに記載の屋外コンピュータ装置。
【請求項９】
自己点検手段が設けられたことを特徴とする請求項１乃至８の何れかに記載の屋外コンピュータ装置。
【発明の詳細な説明】
【技術分野】
【０００１】
本発明は屋外でのコンピュータ装置の実装に関し、特に、高信頼性を担保して機器保全や機能更新に適合した装置の実装に関する。
【背景技術】
【０００２】
無線通信、農業、環境計測、リモート監視等の分野においては、屋外に設置したコンピュータを使用する。屋外コンピュータには数々の機能を提供するため、種々の周辺機器が組み込まれる。周辺機器としては、例えば生物や農作物分野における作物、土壌水分、植物体水分、葉面濡れ等を計測する環境計測センサや、気温、湿度、風速・風向計、日照量センサ等がある。さらに、現場のモニタリングシステムとしてリアルタイムに画像を得るためのカメラ、通信機器、ＧＰＳなど数多くの計測機器がある。
屋外コンピュータの例としてはフィールドサーバがあり、複数の環境計測センサ等の環境計測手段や無線ＬＡＮ等の通信手段のような複合的な機能を備えて屋外現場における周囲の環境情報をリアルタイムに取得できる装置がある（特許文献１）。
このような屋外に設置するコンピュータは屋内に設置するコンピュータと異なり、各構成装置の故障や機能更新の際にユニット交換の容易性、保守管理性、屋外環境に対応した耐候性、及び防犯性等を担保する必要があり、様々な装置が考案されている（特許文献２−４）。
【０００３】
【特許文献１】特許３８５１９５４号
【特許文献２】特開２００４−２５２５９５号
【特許文献３】特開２００６−３５１６４５号
【特許文献４】特開２００７−１９９３６８号
【発明の開示】
【発明が解決しようとする課題】
【０００４】
しかしながら、従来の屋外コンピュータは、故障や機能更新の際に装置を全て分解もしくは除去する必要があり、保守管理時における多大な労力及びコストが生じていた。
本発明は斯かる問題点に鑑みてなされたものであり、上記課題を解決できる屋外コンピュータ装置を提供することを目的とする。
【課題を解決するための手段】
【０００５】
このような目的を達成するために、本発明は、サイドレールが設けられたベース部と、ベース部に、サイドレールに係合可能なサイドブラケットが設けられたコンピュータユニットを有する基板ブロックとを備え、前記ベース部に中空部及び通気孔を有するベースパイプが用いられ、該ベースパイプの上部に、上方に延びる前記サイドレールが設けられ、前記サイドレールに係止可能な前記サイドブラケットが基板ブロックに設けられ、前記サイドレールは、可撓性又は伸張性を有するベースレールに設けられて前記サイドブラケットが係脱されることを特徴とする。
また、本発明は、サイドレールの内幅は、サイドブラケットの外幅と同じ長さであることを特徴とする。
また、本発明は、基板ブロックに着脱可能な外付ユニットが設けられたことを特徴とする。
また、本発明は、基板ブロックの外側に基板カバーが設けられ又は／及び基板ブロックに接続された外付ユニットの外側に外付ユニットカバーが設けられ、サイドレールの上端に基板カバー又は／及び外付ユニットカバーを嵌合可能な固定部が設けられたことを特徴とする。
また、本発明は、基板カバー又は外付ユニットカバーの下部に、分割された下部カバーが設けられたことを特徴とする。
また、本発明は、基板ブロックにアンテナブラケットを介して延びるアンテナが設けられ、アンテナブラケットの一端にアンテナケーブルを通す穴が設けられたことを特徴とする。
また、本発明は、ケーブルをベースパイプの中空部を通すことを特徴とする。
また、本発明は、端末からのデータの書き込み及び／又は消去が可能な内部メモリが設けられたことを特徴とする。
また、本発明は、自己点検手段が設けられたことを特徴とする。
【発明の効果】
【０００６】
本発明の屋外コンピュータによれば、故障時及び機能更新時に目的とするユニットのみを簡易に交換可能にすることにより、取替え時の労力及びコスト削減が可能となる。さらに、取替え時の故障を防ぐ構造にすることにより、取替え時の機器の故障を防ぐ。また、取り付け作業を簡易にして、取替え手順を少なくすることにより容易な保守管理が可能となる。
【発明を実施するための最良の形態】
【０００７】
実施の形態１．屋外コンピュータ装置の実装
図１は、屋外コンピュータ装置１の実装を示した図である。図２は、屋外コンピュータ装置１の基板ブロック３のベース部２への装着手順を示した図である。図３は、サイドレール５とサイドブラケット６のスライド機構及びロック機構を説明した図である。
【０００８】
屋外コンピュータ装置１は、様々な機能を提供するために数々の周辺機器が組み込まれた装置である。
図１（Ａ）に示すように、屋外コンピュータ装置１は、ベース部２とその上面に装着された基板ブロック３から構成される。基板ブロック３にはコネクタパネル４ａが設けられ、コンピュータユニット４が一体型として組み込まれている。コンピュータユニット４には当業者が使用可能な任意の構成要素を組み込むことが可能であり、ＣＰＵ、メモリ、電源、ハブ等が搭載される。ベース部２の上部には上方に延びるサイドレール５が設けられ、コネクタパネル４ａにはサイドレール５に係合可能なサイドブラケット６が設けられる。サイドレール５のコの字型の内幅は、サイドブラケット６のコの字型の外幅と接するように形成される。
図１（Ｂ）は、屋外コンピュータ装置１を側面から装着した場合を示しており、基盤ブロック３は、上述の上面に装着された場合と同様の構成である。
【０００９】
図２に示すように、ベース部２にはベースパイプ２ａが使用され、上面から基板ブロック３が装着される。基板ブロック３に設けられた下部構造３ａは、ベースパイプ２ａに設けられた中空部２ａ２に収まるようにベースレール５ａを介して装着される。
ベースパイプ２ａには上方向にベースレール５ａの設置面と垂直に一対のサイドレール５が設けられる。また、基板ブロック３に設けられたコネクタパネル４ａにも上方向にベースレール５ａの設置面と垂直に一対のサイドブラケット６が設けられる。図２（Ａ）に示すように、サイドレール５及びサイドブラケット６は互いに係合可能であり、基板ブロック３をベース部２へ装着するには、まず、スライド機構を利用して基板ブロック３の装着を下方向（矢印参照）に開始する。次に、図２（Ｂ）に示すように、サイドレール５はコネクタパネル４ａに設けられた挿通孔４ａ１を通してスライドさせる（矢印参照）。さらに、図２（Ｃ）に示すように、ベースレール５ａにコネクタパネル４ａを接着させて装着完了する。サイドレール５とサイドブラケット６とは、サイドレール５の爪部５ｂに設けられた留め部５ｃを用いて固定する。
【００１０】
図３は、基板ブロック３をベース部２へ装着する際の、サイドレール５とサイドブラケット６のスライド機構及びロック機構を模式的に示したものである。まず、図３（Ａ）に示すように、サイドレール５とサイドブラケット６を接触してスライドさせて装着を開始する（矢印参照）。次に、図３（Ｂ）に示すように、サイドブラケット６に螺子頭を用いて設けられた凸型部６ａが、サイドレール５に設けられた爪部５ｂで係止されてロックされる。次に、図３（Ｃ）に示すように、サイドレール５に設けられた可撓性を有するベースレール５ａを曲げて、サイドブラケット６が係脱されてロックを解除して装着を再開する（矢印参照）。最後に、図３（Ｄ）に示すように、ベースレール５ａにコネクタパネル４ａを接着させて装着完了する。
【００１１】
実施の形態２．基板カバーを備えた屋外コンピュータ装置の実装
図４は、基板カバー７を装着した屋外コンピュータ装置１ａの実装を示した図である。
図４（Ａ）は、屋外コンピュータ装置１ａはベースパイプ２ａ、その上部に設けられた基板ブロック３及び基板ブロック３の外側を覆う基板カバー７の構成図である。基板ブロック３を装着する際には、上述したようにサイドレール５とサイドブラケット６とを接触させて装着する。そして、基板ブロック３の上面から基板カバー７を装着する（矢印参照）。
図４（Ｂ）は、固定部５ｄと穴部７ａの嵌合状態の詳細図である。サイドレール５の上端には鉤爪状の固定部５ｄが設けられ、基板カバー７に設けられた穴部７ａに通して基板ブロック３に基板カバー７を嵌合固定する。
【００１２】
実施の形態３．外付ユニットを備えた屋外コンピュータ装置の実装
図５は、外付ユニット８を装着した屋外コンピュータ装置１ｂの実装を示した図である。図６は、外付ユニット８がカメラ８ａである場合の外付ユニットカバー９の装着を示した図である。図７は、基板カバー７に下部カバー１２の装着を示した図である。図８は、ベースパイプ２ａの中空部２ａ２及び通風の流路を示した図である。図９は、アンテナ８ｂをコネクタパネル４ａに装着を示した図である。
【００１３】
図５に示すように、コンピュータユニット４には各々個別に接続可能な外付ユニット８が設けられる。外付ユニット８にはカメラ８ａがあり、基板ブロック３の上部に設けられた台座８ａ１に装着される。また、外付ユニット８にはアンテナ８ｂがあり、基板ブロック３の下部に装着される。また、外付ユニット８にはセンサ８ｃがあり、ベースパイプ２ａの中空部２ａ２に装着される。他にも外付ユニット８には、作物、土壌水分、植物体水分、葉面濡れ計測の環境計測センサや、温度計、湿度計、風速・風向計、日照量センサ、通信機器、ＧＰＳ送信機、内部メモリ等がある。
【００１４】
図６に示すように、基板ブロック３の外周は基板カバー７で覆われ、基板カバー７の上部に外付ユニット８の外周を覆う外付ユニットカバー９が設けられる。外付ユニット８がカメラ８ａの場合には、外付ユニットカバー９は透明のアクリル部材が用いられる。
外付ユニットカバー９は、下方向（図６の矢印参照）に装着され、ワンタッチスライド方式で回転させてサイドレール５の固定部５ｄに基板カバー７と共に嵌合固定される。さらに、外付ユニットカバー９には複数の固定爪部９ａが設けられ、カメラ８ａを固定する。このようにして、基盤ブロック３、基板カバー７、カメラ８ａ、及び外付ユニットカバー９が一体として固定される。
基板カバー７と外付ユニットカバー９は、側面に１ヶ所のみ設けられた螺合部９ｂにて１本の螺子で固定される。基板カバー７と外付ユニットカバー９の接続部には、ゴム素材の接続リング１０が設けられる。
外付ユニットカバー９の上部には上部カバー１１が設けられる。上部カバー１１にはソーラーパネル８ｄが設けられる。ソーラーパネル８ｄで変換された電気は、ソーラーパネルケーブル８ｄ１を介して供給される。ソーラーパネルケーブル８ｄ１は、外付ユニットカバー９のカメラ８ａの死角位置に通されて、ソーラーパネルコネクタ８ｄ２で接続される。
【００１５】
図７に示すように、基板カバー７の下端には下部カバー１２が設けられる。下部カバー１２は分割可能であり、ベースパイプ２ａを挟んでアンテナ８ｂの下端から上方向（図７の矢印参照）に各々装着する。下部カバー１２にはアンテナ８ｂを通すアンテナ挿通孔１２ａが設けられる。
【００１６】
図８に示すように、基板ブロック３若しくは外付ユニット８等に接続されたケーブル１３は、ベースパイプ２ａ内側の中空部２ａ２を通して配線される。
また、ベースパイプ２ａの上部にはファン８ｅが設けられ、ベースパイプ２ａの通気孔２ａ１から取得された外気は、通風の流路（図８の矢印参照）のように中空部２ａ２、基板カバー７内部及び外付ユニットカバー９内部の順に通過して、外付ユニットカバー９の上端と上部カバー１１との間隙から排出される。
【００１７】
図９に示すように、屋外コンピュータ装置１ｂにはネットワーク機能を設けるために無線通信用のアンテナ８ｂが設けられる。アンテナ８ｂは、コネクタパネル４ａの外縁に設けられたアンテナブラケット１４に接続するアンテナコネクタ１５を介して装着される。アンテナ８ｂは、下部カバー１２の外側に露出するように下方に延びる。アンテナケーブル１６は、コネクタパネル４ａに設けられた切欠部４ａ２を通してアンテナ８ｂと接続される。
【００１８】
実施の形態４．屋外コンピュータ装置の自己点検手段を用いた保守管理
図１０は、屋外コンピュータ装置１、１ａ及び１ｂの保守管理フロー図である。
メンテナンス処理が開始されると、まず個人証明の情報を入手するため、点検者の個人情報がＲＦＩＤタグ又はＰＤＡやＰＣ等の端末を用いて、屋外コンピュータ装置１、１ａ及び１ｂに設けられた端末からのデータの書き込み及び／又は消去が可能な内部メモリに保存される（ステップＳ１）。
次に、動作確認を行うため、屋外コンピュータ装置１、１ａ及び１ｂに設けられた自己点検手段を用いて動作が正常であるか確認を行う（ステップＳ２）。
次に、点検者が屋外コンピュータ装置１、１ａ及び１ｂに接触すると、電源表示、通信表示、自己診断表示等を示す自己点検表示部８ｆ（図８参照）が、要注意（黄）及び異常（赤）のようにＬＥＤの色で異常状態を表示する（ステップＳ３）。ステップＳ３で要注意や異常と表示された場合には、基板ブロック３若しくは外付ユニット８等に設けられた問題のある部材が交換され、同時に点検者の個人情報及びタイムスタンプ等の保守データが内部メモリに入力される。（ステップＳ４）。そして、再度ステップＳ１に戻る。
一方で、点検者が屋外コンピュータ装置１、１ａ及び１ｂに接触すると、上述の自己点検表示部８ｆが、正常（青）のようにＬＥＤの色で正常状態を表示する（ステップＳ５）。ステップＳ５で正常と表示された場合には、内部メモリの過去データが保守管理作業用の端末に通知保存されて記録がバックアップされる（ステップＳ６）。さらに、ステップＳ４で部材の交換を行った場合には、点検者、交換部材の情報、作業記録等も内部メモリに追加記録され、同時に保守管理作業用の端末にも記録される。これらの記録された情報は、ホストコンピュータに集約する。また、機器状態の記録保存は、屋外コンピュータ装置１、１ａ及び１ｂとホストコンピュータとの定期的な通信によっても行う。
なお、屋外コンピュータ装置１、１ａ及び１ｂの交換した部材の廃棄の場合には、セキュリティ確保のため内部メモリに記録された保守管理、位置、及び所持者記録等の情報が一括消去される。
【００１９】
実施の形態５．屋外コンピュータ装置の誤作動復旧
図１１は屋外コンピュータ装置１、１ａ及び１ｂの誤動作復旧手段を用いた誤作動復旧システムを示した図である。
屋外コンピュータ装置１、１ａ及び１ｂは、一体型のコンピュータユニット４を有し、その中にＣＰＵ２０、ＣＰＵ動作点検回路部２１、リセット部２２、ネットワークインターフェース部２３及び電源２６が設けられる。ＣＰＵ２０及びネットワークインターフェース部２３は、ハブ２４を介してネットワーク２５に接続して中央管理システム２７と通信を行う。
誤動作復旧手段として、屋外コンピュータ装置１、１ａ及び１ｂには電源リセット機能（フェールセーフ機能）を組み込む。具体的にはＣＰＵ２０からウォッチドックを用いて動作監視信号が一定時間毎にＣＰＵ動作点検回路部２１に送られる。ＣＰＵ動作点検回路部２１が異常を検知すると基板ブロック３の内部接続で、若しくはネットワークインターフェース部２３からハブ２４を介してネットワーク２５経由で誤作動が認識される。そして、ＣＰＵ２０から入力信号が送られたリセット部２２において、バグリセット用のリレー回路を用いて電源２６を一旦オフした後再オンすることにより、ＣＰＵ２０がリセットされる。一連の動作は、中央管理システム２７に履歴記録として残される。
【００２０】
以上、本発明の実施の形態について図面を参照して詳述したが、具体的な構成はこれらの実施の形態に限られるものではなく、本発明の要旨を逸脱しない範囲で設計の変更等があっても本発明に含まれる。また、本実施の形態の説明では、主に基板ブロック３を上面から装着した場合を説明したが、側面や任意の方向から装着することも可能である。
【００２１】
上述したように本実施の形態の屋外コンピュータ装置１、１ａ及び１ｂによれば、コンピュータユニット４が一体型であるため、保守管理時にはコンピュータユニット４のみを挿抜して交換が可能となる。コンピュータユニット４は電子回路部も一体モジュール化しているため、活線工事等で故障しない構造と仕組みも提供される。また、外付ユニット８の故障や機能更新の際にも、カメラ８ａ、アンテナ８ｂ、センサ８ｃ、ソーラーパネル８ｄ、ファン８ｅ等の各ユニット毎に修理交換が可能である。このような構成によって、安全で柔軟性の高い屋外コンピュータ装置１、１ａ及び１ｂの運用が担保でき、保守管理、機能更新が容易となる。
屋外コンピュータ装置１、１ａ及び１ｂは各ユニット毎及び各部品毎に分割可能な構造であるため、移送の際に省スペース化を図ると共に、輸送振動に弱い部材を小分けにして梱包配送が可能となり、移送時における破損等を防ぎ可搬性も向上する。また、現地組立のための簡易手段及び簡易機能点検手段も提供される。さらに、各ユニット及び各部品毎にＧＰＳ送信機を設けて、移送時や設置後の位置情報の取得も可能であり、紛失時の対応や輸送管理も容易となる。
【００２２】
なお、本実施の形態のスライド機構は、サイドレール５に接着させながらサイドブラケット６をスライドさせたが、サイドレール５とサイドブラケット６は接触可能であれば任意の構造でもよい。
サイドレール５及びサイドブラケット６は共に設置面に垂直に設けられているため、正確な位置決めが可能となり電子部品やハーネス配線の交換時における簡易な挿抜機能が提供される。サイドレール５及びサイドブラケット６の本数は、好ましくは各２本ずつであるが、任意の数を使用することも可能である。
サイドレール５のコの字型の内幅とサイドブラケット６のコの字型の外幅を同じにしたため、基板ブロック３をスライドして装着する際にコンピュータユニット４のハーネスの配線を噛むことを防止する効果がある。
【００２３】
なお、本実施の形態のロック機構は、サイドレール５に設けられた爪部５ｂとサイドブラケット６に設けられた凸型部６ａから構成される係止手段を用いて行ったが、サイドブラケット６の係止は中途で停止可能な任意の構造を使用できる。例えば、サイドレール５の中途に摩擦や磁石等を利用した滑り止め部を設けてもよい。このような構成によって、基板ブロック３を装着する際にスライドが中途で一旦停止するため、装着時の衝撃が緩和され破損防止効果がある。
また、ロック解除はベースレール５ａの可撓性を利用して行ったが、ベースレール５ａは伸張性を備えてロック解除を行ってもよい。
【００２４】
なお、本実施の形態のベース部２は、基板ブロック３を支える構造であれば任意の構造でよく、他の柱等に掛止する構造や付着する構造等を用いてもよい。また、ベース部２を用いて、屋外コンピュータ１の設置面からの高さや向き等を調節することも可能である。
ベース部２として用いたベースパイプ２ａは、金属やプラスチック等の任意の素材を用いることが可能である。望ましくは、軽量化及び錆防止のため、酸化皮膜処理が施されたアルミ材等の軽金属やアクリルを使用する。このように全体重量を軽量化することによって、移送が容易に可能となる。また、錆に強く耐候性に優れ冷却性能も向上させて保守管理機能の増強も図る。
【００２５】
なお、本実施の形態の基板カバー７及び外付ユニットカバー９は、円筒型である場合を示したが、当業者が使用可能な任意の形状を使用できる。特に、外付ユニット８は任意の機器を設置することが可能なため、各々の機器に対応する外付ユニットカバー９を設けてもよい。例えば、外付ユニット８が温度計や湿度計である場合、ベースパイプ２ａの金属部材からの熱伝導等の影響を抑制するため、外付ユニット８と外付ユニットカバー９の間にウレタン素材の緩衝材を設けてもよい。
基板カバー７及び外付ユニットカバー９は、側面の１ヶ所のみを螺子で固定することによって簡易に係脱可能としたが、屋外コンピュータ装置１、１ａ及び１ｂの各ユニットやカバーの接続に使用する螺子の本数は任意でよい。また、屋外作業であるため、各螺子の螺子先にワッシャ等の脱落防止手段を設けて紛失を防いでもよい。また、一般工具で容易に改変不可能にするため、六角螺子等を使用してもよい。
【００２６】
なお、本実施の形態の基板ブロック３と外付ユニット８の接続は、任意の接続構造を用いることができ、各ユニット間及び／又は各カバー間の着脱は容易であることが望ましい。例えば、カメラ８ａの底板には鉤状構造を設けて、基板ブロック３の上部に設けられた台座８ａ１には係止構造を設けて、カメラ８ａと台座８ａ１とをワンタッチ装着可能としてもよい。同様にアンテナ８ｂをワンタッチ交換できる構造にしてもよい。ユニット構成要素の変更容易化として、カメラレス化及び機能ブロックのスタック追加してもよい。
このような構成によって、寿命が短期であって機能更新やモデルチェンジが頻繁なカメラ８ａ、各種センサ８ｃ、ファン８ｅ等の部材の交換の際に省力化及び簡便化の効果がある。そして、屋外コンピュータ装置１、１ａ及び１ｂを用いたシステム商品として長期間の運用に耐えることも可能となる。
【００２７】
なお、本実施の形態の自己点検手段として、屋外コンピュータ装置１、１ａ及び１ｂに接触してＬＥＤのパターン表示を行う場合を示したが、接触位置は上部カバー１１等の特定の位置でもよい。また、アラーム等を用いて行ってもよい。さらに、コンソールを用いて自己点検手段としてもよい。
このような構成によって、屋外コンピュータ装置１、１ａ及び１ｂに対して保守管理記録を行うことによって手抜き作業の防止と定期保守管理作業の確認手段を提供して、信頼性が担保された保守管理を行うことが可能となる。
【００２８】
なお、屋外コンピュータ装置１、１ａ及び１ｂの屋外設置では防犯や悪戯防止対策が求められるため、形跡検出手段として配線、通信、電源の鋼管配線導入と誤結線防止と通電、通信確認インジケータを設けてもよい。また、装置の傾けや振動等に対する防犯サイレンやランプ鳴動を行ってもよい。螺子頭に開封シール等を用いて悪戯形跡を検出してもよい。
また、屋外設置では設置場所毎に環境特性を考慮する必要があるため、場所毎での自己動作環境の把握をしてもよい。例えば、自己動作環境の把握のため、温度、湿度、腐食ガスセンサ、振動衝撃センサ等の環境計測手段を設けて周辺環境の測定を行ってもよい。また、ファン８ｅや通気孔２ａ１の部分に塵埃フィルタを取付けて、塵埃対策と同時に環境サンプリングをしてもよい。このような周辺環境の測定結果を用いて、長期信頼性の指標とすることも可能である。
また、屋外設置では耐屋外環境性能向上が求められるため、屋外コンピュータ装置１、１ａ及び１ｂに耐候性を確保してもよい。例えば、防水対策として、屋外コンピュータ装置１、１ａ及び１ｂを別途スクリーンで覆ってもよい。また、上述したゴム素材の接続リング１０に加えて、接続部にパッキンを用いてもよい。結露対策として、ベースパイプ２ａの通気孔２ａ１から外気を取り入れて、コネクタパネル４ａに取付けたファン８ｅで空気を循環させる。また、センシングに影響しない除湿装置を搭載してもよい。高温対策として、ファン８ｅやクーラーを用いて冷却してもよい。低温対策として、ヒーターを用いて暖房してもよい。塵埃対策として、上述の防水対策同様の構成に加えて、通気孔２ａ１等の外気を取込む部分に塵埃フィルタを設けて埃、虫、土砂等を防いでもよい。防錆対策として、金属に被膜処理を施したり、アクリル等の金属以外を構成素材として用いてもよい。ノイズ対策として、アルミ素材のベースパイプ２ａの設置固定時に、フレームアースしてシールド化してもよい。また、基板カバー７、外付ユニットカバー９、下部カバー１２等の内側に金属を蒸着させてフレームアースしてもよい。
【図面の簡単な説明】
【００２９】
【図１】屋外コンピュータ装置の実装の斜視図である。
【図２】屋外コンピュータ装置の基板ブロックの装着を示す斜視図である。
【図３】サイドレールとサイドブラケットのスライドロック機構の説明図である。
【図４】屋外コンピュータ装置に基板カバーを装着する実装の斜視図である。
【図５】屋外コンピュータ装置に外付ユニットを装着する実装の斜視図である。
【図６】外付ユニットがカメラである場合の外付ユニットカバーを装着する斜視図である。
【図７】基板カバーに下部カバーを装着する斜視図である
【図８】ベースパイプの中空部及び通風の流路を示す正面図である。
【図９】アンテナをコネクタパネルに装着した斜視図である。
【図１０】屋外コンピュータ装置の自己点検手段を用いた保守管理のフロー図である。
【図１１】屋外コンピュータ装置の誤作動復旧のシステム図である。
【符号の説明】
【００３０】
１、１ａ、１ｂ  屋外コンピュータ装置
２  ベース部
２ａ  ベースパイプ
２ａ１  通気孔
２ａ２  中空部
３  基板ブロック
３ａ  下部構造
４  コンピュータユニット
４ａ  コネクタパネル
４ａ１  挿通孔
４ａ２  切欠部
５  サイドレール
５ａ  ベースレール
５ｂ  爪部
５ｃ  留め部
５ｄ  固定部
６  サイドブラケット
６ａ  凸型部
７  基板カバー
７ａ  穴部
８  外付ユニット
８ａ  カメラ
８ａ１  台座
８ｂ  アンテナ
８ｃ  センサ
８ｄ  ソーラーパネル
８ｄ１  ソーラーパネルケーブル
８ｄ２  ソーラーパネルコネクタ
８ｅ  ファン
８ｆ  自己点検表示部
９  外付ユニットカバー
９ａ  固定爪部
９ｂ  螺合部
１０  接続リング
１１  上部カバー
１２  下部カバー
１２ａ  アンテナ挿通孔
１３  ケーブル
１４  アンテナブラケット
１５  アンテナコネクタ
１６  アンテナケーブル
２０  ＣＰＵ
２１  ＣＰＵ動作点検回路部
２２  リセット部
２３  ネットワークインターフェース部
２４  ハブ
２５  ネットワーク
２６  電源
２７  中央管理システム
【図１】
0005027699.tif 000002
【図２】
0005027699.tif 000003
【図３】
0005027699.tif 000004
【図４】
0005027699.tif 000005
【図５】
0005027699.tif 000006
【図６】
0005027699.tif 000007
【図７】
0005027699.tif 000008
【図８】
0005027699.tif 000009
【図９】
0005027699.tif 000010
【図１０】
0005027699.tif 000011
【図１１】
0005027699.tif 000012